(57)【特許請求の範囲】
【請求項１】
被調理物や調理容器を加熱する複数の加熱手段と、
各加熱手段の加熱開始及び加熱停止を指示する複数の操作スイッチと、
調理残時間に対応した数字の表示を行う一つの表示器と、
時間経過に対応して、前記調理残時間を初期値から減らしていき、前記調理残時間がゼロになると前記加熱手段の作動を自動停止させる制御手段とを有する調理装置であって、  前記制御手段が前記表示器に表示させる数字は、操作を行った操作スイッチにより加熱開始する加熱手段の調理残時間に対応した数字であり、
二つ以上の操作スイッチが各加熱手段の加熱開始を指示した場合には、前記制御手段は、先にゼロになる方の調理残時間に対応した数字を前記表示器に表示する事を特徴とする調理装置。
【請求項２】
被調理物や調理容器を加熱する複数の加熱手段と、
各加熱手段の加熱開始及び加熱停止を指示する複数の操作スイッチと、
調理残時間に対応した数字の表示を行う一つの表示器と、
時間経過に対応して、前記調理残時間を初期値から減らしていき、前記調理残時間がゼロになると前記加熱手段の作動を自動停止させる制御手段とを有する調理装置であって、 前記制御手段が前記表示器に表示させる数字は、操作を行った操作スイッチにより加熱開始する加熱手段の調理残時間に対応した数字であり、
二つ以上の操作スイッチが各加熱手段の加熱開始を指示した場合には、前記制御手段は、各調理残時間に対応した数字を交互に前記表示器に表示する事を特徴とする調理装置。
【請求項３】
前記表示器に表示される数字がどの加熱手段のものかを表示する補助表示部を設けた請求項１または請求項２に記載の調理装置。
【請求項４】
前記調理残時間を増減する為の一組の増減スイッチを設け、前記増減スイッチを操作すると、前記制御手段は、前記表示器に表示されている数字に対応した調理残時間を増減する請求項１乃至請求項３の何れかに記載の調理装置。
【発明の詳細な説明】
【０００１】
【発明の属する技術分野】
本発明は、調理残時間をデジタル表示する表示器を有する調理装置に関する。
【０００２】
【従来の技術】
従来より、魚を加熱するグリルバーナと、調理容器を加熱するコンロバーナと、グリル消火タイマをデジタル表示する二桁のＬＥＤと、時間経過とともに初期値｛例えば８分（増減可）｝からグリル消火タイマの残時間を減らしていき、残時間がゼロになるとグリルバーナの消火を指示する制御手段と、調理中にグリル消火タイマを増減する為の（＋）  、（−）  スイッチとを有するテーブルコンロが知られている。
【０００３】
【発明が解決しようとする課題】
このテーブルコンロでは、グリル消火タイマの初期値は、標準的な魚を両面焼きするのに適した値に設定してあるが、魚の状態（大きさ、種類、数等）によって調理残時間を増減する必要があるので、（＋）  、（−）  スイッチにより、グリル調理開始時やグリル調理中に残時間を増減できる様になっている。
【０００４】
しかし、ＬＥＤはグリル消火タイマの表示専用であるので、コンロ消火タイマ（コンロを連続使用すると自動消火する）の表示を行えず、使用者はコンロ消火タイマの残時間を確認できなかった。又、コンロ消火タイマの表示が成されないのでコンロ消火タイマの残時間の増減はできない構造にしていた。
【０００５】
尚、ＬＥＤを二つ以上にして、各タイマを表示できる様にすると、消費電流が多くなるとともに、部品代が嵩む。
又、各タイマの表示を切り替える為の切り替えスイッチを配設すると、操作が複雑になり、部品代が嵩み、パネル面が繁雑になる。
【０００６】
本発明の目的は、調理残時間に対応した数字を、切り替えスイッチを別途に設ける事無く一つの表示器を共用して表示する事ができる調理装置の提供にある。
【０００７】
【課題を解決するための手段】
上記課題を解決する為、本発明は、以下の構成を採用した。
（１）被調理物や調理容器を加熱する複数の加熱手段と、各加熱手段の加熱開始及び加熱停止を指示する複数の操作スイッチと、調理残時間に対応した数字の表示を行う一つの表示器と、時間経過に対応して、前記調理残時間を初期値から減らしていき、前記調理残時間がゼロになると前記加熱手段の作動を自動停止させる制御手段とを有する調理装置であって、前記制御手段が前記表示器に表示させる数字は、操作を行った操作スイッチにより加熱開始する加熱手段の調理残時間に対応した数字であり、二つ以上の操作スイッチが各加熱手段の加熱開始を指示した場合には、前記制御手段は、先にゼロになる方の調理残時間に対応した数字を前記表示器に表示する事を特徴とする。
【０００８】
（２）被調理物や調理容器を加熱する複数の加熱手段と、各加熱手段の加熱開始及び加熱停止を指示する複数の操作スイッチと、調理残時間に対応した数字の表示を行う一つの表示器と、時間経過に対応して、前記調理残時間を初期値から減らしていき、前記調理残時間がゼロになると前記加熱手段の作動を自動停止させる制御手段とを有する調理装置であって、前記制御手段が前記表示器に表示させる数字は、操作を行った操作スイッチにより加熱開始する加熱手段の調理残時間に対応した数字であり、二つ以上の操作スイッチが各加熱手段の加熱開始を指示した場合には、前記制御手段は、各調理残時間に対応した数字を交互に前記表示器に表示する事を特徴とする。
【０００９】
（３）上記（１）または（２）の構成を有し、前記表示器に表示される数字がどの加熱手段のものかを表示する補助表示部を設けた。
【００１０】
（４）上記（１）乃至（３）の何れかの構成を有し、前記調理残時間を増減する為の一組の増減スイッチを設け、前記増減スイッチを操作すると、前記制御手段は、前記表示器に表示されている数字に対応した調理残時間を増減する。
【００１４】
【作用および発明の効果】
〔請求項１について〕
使用者が操作スイッチを操作して加熱手段の加熱開始を指示すると、制御手段は時間経過に対応して、加熱開始した加熱手段の調理残時間を初期値から減らしていくとともに、一つの表示器にその調理残時間に対応した数字を表示する。
この状態で、使用者が別の操作スイッチを操作して別の加熱手段の加熱開始を指示すると、制御手段は、後から操作を行った操作スイッチに対応する調理残時間を初期値から減らしていくとともに、先にゼロになる方の調理残時間に対応した数字を表示器に表示する。
この為、調理残時間に対応した数字を、表示切り替えスイッチを別途に設ける事無く一つの表示器を共用して表示する事ができる。尚、複数の操作スイッチが操作された場合には、表示器に表示されるのは先にゼロになる方の調理残時間に対応した数字である事が決められているので、突然、加熱手段が加熱を停止するという状態が起こらず、使い勝手に優れる。
【００１５】
〔請求項２について〕
使用者が操作スイッチを操作して加熱手段の加熱開始を指示すると、制御手段は時間経過に対応して調理残時間を初期値から減らしていくとともに、一つの表示器にその調理残時間に対応した数字を表示する。
この状態で、使用者が別の操作スイッチを操作して別の加熱手段の加熱開始を指示すると、制御手段は、後から操作を行った操作スイッチに対応する調理残時間を初期値から減らしていくとともに、各調理残時間に対応した数字を交互に表示器に表示する。
【００１６】
この為、調理残時間に対応した数字を、表示切り替えスイッチを別途に設ける事無く一つの表示器を共用して表示する事ができる。尚、複数の操作スイッチが操作された場合には、各調理残時間に対応した数字が順に表示器に表示されるので、使用者は各調理残時間を確認する事ができ、使い勝手が良い。
【００１７】
〔請求項３について〕
表示器に表示される数字がどの加熱手段の調理残時間かを表示する補助表示部を設けたので、複数の操作スイッチが操作された場合、表示器に表示されているのはどの加熱手段に対応した数字であるのか使用者は容易に知る事ができ、使い勝手が良い。
【００１９】
〔請求項４について〕
調理残時間を増減する為の一組の増減スイッチを操作すると、表示器に表示されている数字に対応した調理残時間を増減する構成であるので、使用者は、ＬＥＤの数字を見る事によって、どの加熱手段の調理残時間がどの程度、増減されたのか容易に判り、使い勝手が良い。
【００２５】
【発明の実施の形態】
参考例１を図１〜図６に基づいて説明する。
図に示す様にガステーブルＡは、ガスこんろ１、２と、グリル３と、グリルタイマ時間等を表示するＬＥＤ４と、調理終了時等に鳴動する圧電ブザー５と、ＬＥＤ４や圧電ブザー５等を制御する制御ユニット６と、乾電池７と、タクトスイッチ８１、８２とを有する。
【００２６】
ガスこんろ１は、Ｈバーナ（４１００ｋｃａｌ）１１を有し、Ｈバーナ１１には、ガス量調節弁（図示せず）、及びセーフティバルブ１２を配設したガス供給管１０によりガスが供給され、点火電極１６の火花放電により点火されて燃焼する。尚、ガスこんろ１は、調理容器ｎの底を弾圧するサーミスタ１７を配設している。
【００２７】
ガス量調節弁は、正面上部に設けられたレバー１３の位置により弁開度が変化し、Ｈバーナ１１へ供給するガス量を増減する。
セーフティバルブ１２は、点・消火ボタン１４が図３の▲３▼位置まで押圧されると開弁を開始する。尚、セーフティバルブ１２は、サーモカップル１５の起電力が着火検知レベル（２．８ｍＶ）以上である場合には、点・消火ボタン１４の押圧を解いて図３の▲５▼位置まで戻っても開弁維持する。
【００２８】
ガスこんろ２は、Ｍバーナ（２３００ｋｃａｌ）２１を有し、Ｍバーナ２１には、ガス量調節弁（図示せず）、及びセーフティバルブ２２を配設したガス供給管２０によりガスが供給され、点火電極２６の火花放電により点火されて燃焼する。
【００２９】
ガス量調節弁は、正面上部に設けられたレバー２３の位置により弁開度が変化し、Ｍバーナ２１へ供給するガス量を増減する。
セーフティバルブ２２は、点・消火ボタン２４が図３の▲３▼位置まで押圧されると開弁を開始する。尚、セーフティバルブ２２は、サーモカップル２５の起電力が開弁維持レベル以上である場合には、点・消火ボタン２４の押圧を解いて図３の▲５▼位置まで戻っても開弁維持する。
【００３０】
グリル３は、魚ｆを両面焼するグリルバーナ３１、３２（各１９５０ｋｃａｌ）を有し、グリルバーナ３１、３２には、ガス量調節弁（図示せず）、及びセーフティバルブ３３を配設したガス供給管３０によりガスが供給され、点火電極３８の火花放電により点火されて燃焼する。
【００３１】
ガス量調節弁は、正面上部に設けられたレバー３４、３５の位置により弁開度が変化し、グリルバーナ３１、３２へ供給するガス量を増減する。
セーフティバルブ３３は、点・消火ボタン３６が図３の▲３▼位置まで押圧されると開弁を開始する。尚、セーフティバルブ３３は、サーモカップル３７の起電力が着火検知レベル（２．５ｍＶ）以上である場合には、点・消火ボタン３６の押圧を解いて図３の▲５▼位置まで戻っても開弁維持する。
【００３２】
制御ユニット６のＣＰＵ６１及びＬＥＤ駆動回路６２により発光が制御されるＬＥＤ４は、最大消費電流が約７０ｍＡの七セグメント発光ダイオード（二連）であり、グリルタイマの残時間等を発光表示する。
【００３３】
具体的には、サーモカップル３７により着火検知が成されると、初期値である“８”を点灯状態にして以下に示す様に、コロン“．”を１秒周期（０．５秒点灯−  ０．５秒消灯）で点滅させながら、数字表示を減らしていく。尚、グリルタイマのカウントダウンは、着火検知が成された時点から開始する。
８．→７．→６．→５．→４．……
更に、グリルタイマの終了３０秒前になったら、以下に示す様に、コロンを消灯するとともに、表示を“１．”から“３０”に変更し、１秒経過毎に数字表示を減らしていく。
２．→１．→３０→２９→２８→２７→２６……→１→０
又、コンロ消火タイマの残時間の表示は、“３０”を点灯状態にして以下に示す様に、コロン“．”を１秒周期（０．５秒点灯−  ０．５秒消灯）で点滅させながら、数字表示を減らしていく。
３０．→２９．→２８．→２７……→４．→３．→２．→１．→０
【００３４】
制御ユニット６のＣＰＵ６１及びブザー駆動回路６３により鳴動が制御される圧電ブザー５は、鳴動時の消費電流が約４０ｍＡであり、点・消火ボタン１４、２４、３６の押圧時（１００ｍＳ鳴動）やグリルタイマの終了時（６０Ｓ毎に１．５Ｓ鳴動）等に鳴動する。
【００３５】
制御ユニット６は、図４に示す様に、ＣＰＵ６１、ＬＥＤ駆動回路６２、ブザー駆動回路６３、電池電圧監視回路６４等を有し、マイクロスイッチ６１１、６１２、サーミスタ１７、グリルタイマ時間増減用のタクトスイッチ８１、８２、サーモカップル１５、３７からの信号に基づいて、セーフティバルブ１２、３３、圧電ブザー５、電池交換報知ランプ６５、及びＬＥＤ４を制御する。
【００３６】
点・消火ボタン１４、２４、３６は、消火状態では図３の▲１▼位置にあり、▲２▼位置より奥に押圧すると、イグナイタ作動用のマイクロスイッチ６５１、６５２、６５３がオン状態になり、イグナイタ６６が作動し、点火電極１６、２６、３８、３９に高電圧が印加される。尚、点・消火ボタン１４、３６を図３の▲２▼位置より奥に押圧すると、制御ユニット６に電池電力を供給する為のマイクロスイッチ６１１、６１２がオン状態になる。
【００３７】
尚、点・消火ボタン１４、２４、３６を奥まで押し込み（図３の▲４▼位置）、手を離すと▲５▼位置で停止する。そして、消火する場合は、再度、奥まで押し込んで手を離すと、消火位置（▲１▼位置）に戻る。尚、この様な動作は、従来周知のハートカム機構による。
【００３８】
乾電池７は、単一型のマンガン電池を２個直列接続したものであり、ＬＥＤ４、圧電ブザー５、制御ユニット６を作動させる為の電力を蓄えている。
【００３９】
タクトスイッチ８１、８２は、常開形の押しボタンスイッチであり、ＣＰＵ６１は以下の仕様で、押圧操作を処理する。
〔タクトスイッチ８１（プラスキー）〕
グリルタイマ表示時には、１回押す毎に、グリルタイマを１分加算（最大１５分）する。秒表示中の押圧は、グリルタイマを１分に設定する。
コンロ消火タイマ表示時には、１回押す毎に、コンロ消火タイマを１分加算（最大６０分）する。
【００４０】
〔タクトスイッチ８２（マイナスキー）〕
グリルタイマ表示時には、１回押す毎に、グリルタイマを１分減算（最小１分）する。
コンロ消火タイマ表示時には、１回押す毎に、コンロ消火タイマを１分減算（最小１分）する。
尚、グリルタイマやコンロタイマが１分以下になった場合の押圧操作は無視される。
【００４１】
つぎに、参考例１のガステーブルＡの作動を、図５（グリル側の制御）、及び図６（コンロ側の制御）に示すフローチャートに基づいて説明する。
〔グリル側の制御〕
ステップｓ１で、ＣＰＵ６１は点・消火ボタン３６が点火側に操作されたか否かをマイクロスイッチ６１１の接点状態に基づいて判別し、点火側に操作されている場合（ＹＥＳ）はステップｓ２に進む。
【００４２】
ステップｓ２で、グリルバーナ３１、３２の点火動作が行われる。具体的には、セーフティバルブ３３が強制開弁し、マイクロスイッチ６５１がオンとなり、イグナイタ６６が作動して点火電極３８、３９に高電圧が印加され、グリルバーナ３１、３２が点火する。
【００４３】
ステップｓ３で、ＣＰＵ６１はグリルバーナ３１、３２の着火を検知し（サーモカップル３７の出力により検知）、着火を検知した場合（ＹＥＳ）にはステップｓ４に進む。
【００４４】
ステップｓ４で、ＣＰＵ６１がグリルタイマをスタート（初期値は８分）させ、ステップｓ５に進む。
ステップｓ５で、点・消火ボタン３６が点・消火ボタン１４より先に操作されたか否かＣＰＵ６１が判別し、先に操作されている場合又は点・消火スイッチ３６のみ操作されている場合（ＹＥＳ）はステップｓ６に進み、後から操作されている場合（ＮＯ）はステップｓ９に進む。
【００４５】
ステップｓ６で、ＣＰＵ６１はＬＥＤ４にグリルタイマを、分単位又は秒単位で発光表示し、ステップｓ７に進む。
ステップｓ７で、ＣＰＵ６１はタクトスイッチ８１、８２が押圧操作されたか否か判別し、押圧操作された場合（ＹＥＳ）はステップｓ８に進み、押圧操作されていない場合（ＮＯ）はステップｓ９に進む。
【００４６】
ステップｓ８で、ＣＰＵ６１は、タクトスイッチ８１、８２の押圧操作に基づいてグリルタイマを１分〜１５分の間で増減し、ステップｓ９に進む。
ステップｓ９で、ＣＰＵ６１はグリルタイマがゼロであるか否か判別し、ゼロでない場合（ＮＯ）はステップｓ５に戻り、ゼロの場合（ＹＥＳ）はステップｓ１０に進む。
【００４７】
ステップｓ１０で、ＣＰＵ６１はセーフティバルブ３３の開弁維持を停止してグリルバーナ３１、３２を消火させる。
【００４８】
〔コンロ側の制御〕
ステップＳ１で、ＣＰＵ６１は点・消火ボタン１４が点火側に操作されたか否かマイクロスイッチ６１２の接点状態に基づいて判別し、点火側に操作されている場合（ＹＥＳ）はステップＳ２に進む。
ステップＳ２で、Ｈバーナ１１の点火動作が行われる。具体的には、セーフティバルブ１２が強制開弁し、マイクロスイッチ６５３がオンとなり、イグナイタ６６が作動して点火電極１６に高電圧が印加され、Ｈバーナ１１が点火する。
【００４９】
ステップＳ３で、ＣＰＵ６１がコンロタイマをスタート（初期値は例えば３０分）させ、ステップＳ４に進む。
ステップＳ４で、点・消火ボタン１４が点・消火ボタン３６より先に操作されたか否かＣＰＵ６１が判別し、先に操作されている場合又は点・消火ボタン１４のみ操作されている場合（ＹＥＳ）はステップＳ５に進み、後から操作されている場合（ＮＯ）はステップＳ８に進む。
【００５０】
ステップＳ５で、ＣＰＵ６１はＬＥＤ４にコンロタイマを分単位で発光表示し、ステップＳ６に進む。
ステップＳ６で、ＣＰＵ６１はタクトスイッチ８１、８２が押圧操作されたか否か判別し、押圧操作された場合（ＹＥＳ）はステップＳ７に進み、押圧操作されていない場合（ＮＯ）はステップＳ８に進む。
【００５１】
ステップＳ８で、ＣＰＵ６１はコンロタイマがゼロであるか否か判別し、ゼロでない場合（ＮＯ）はステップＳ４に戻り、ゼロの場合（ＹＥＳ）はステップＳ９に進む。
ステップＳ９で、ＣＰＵ６１はセーフティバルブ１２の開弁維持を停止してＨバーナ１１を消火させる。
【００５２】
つぎに、参考例１のガステーブルＡの利点を以下に示す。
〔ア〕ガステーブルＡは、使用者が、点・消火ボタン１４又は点・消火ボタン３６を操作すると、制御ユニット６は、時間経過に対応して、コンロタイマ又はグリルタイマを初期値から減らしていくとともに、ＬＥＤ４にコンロタイマ又はグリルタイマに対応した数字を表示する構成である。
【００５３】
この為、コンロタイマ又はグリルタイマに対応した数字を、表示切り替えスイッチを別途に設ける事無く一組のＬＥＤ４を共用して表示する事ができる。これにより、消費電流が抑えられ部品代が節約でき（ＬＥＤ４が一組である為）、操作が簡単であり操作部４０の配置を単純にできる（切り替えスイッチが不要である為）。
【００５４】
〔イ〕点・消火ボタン１４及び点・消火ボタン３６を共に操作した場合は、ＬＥＤ４に表示されるのは先に操作を行ったボタンに対応したコンロタイマ又はグリルタイマの数字である事が決められているので、同時使用でも使用者が混乱しない。
【００５５】
〔ウ〕タクトスイッチ８１、８２を調理中（調理開始時も含む）に操作すると、ＬＥＤ４に表示されている数字に対応したコンロタイマ又はグリルタイマを増減する構成であるので、使用者は、ＬＥＤ４の数字の増減状態を見る事によって、コンロ１又はグリル３のコンロタイマ又はグリルタイマがどの程度、増減されたのか容易に判り、使い勝手が良い。
【００５６】
尚、上記参考例１では、コンロ１とグリル３の二つのタイマを示したが、コンロ２にもタイマを備える様にしても良い。又、ＬＥＤ４に表示される数字がどのタイマに対応するものかが識別できる表示を設けても良い。
【００５７】
つぎに、参考例２を、図２、図３、図４、図７、図８、図９に基づいて説明する。
図に示す様にガステーブルＢは、以下の点がガステーブルＡと異なる。
【００５８】
ガステーブルＢでは、点・消火ボタン１４、３６が両方操作された場合には、後から操作を行った点・消火ボタンに対応した数字（コンロ消火時間又はグリルタイマ）をＬＥＤ４に表示する構成である。又、ＬＥＤ４にグリル３のグリルタイマに対応する数字が表示されている場合に点灯する魚マーク４１（不透明板に魚マーク４１がくり抜きされ、その奥方からＬＥＤ４により照明）が表示部４０に設けられている（図７の外観図、図８及び図９のフローチャート参照）。
【００５９】
参考例２のガステーブルＢは、上記〔ア〕、〔ウ〕に準じた利点以外に、以下の利点を有する。
〔エ〕点・消火ボタン１４及び点・消火ボタン３６を共に操作した場合にＬＥＤ４に表示されるのは、後から操作を行ったボタンに対応したコンロタイマ又はグリルタイマの数字である事が決められているので使用者が混乱しない。
【００６０】
〔オ〕ＬＥＤ４に表示される数字（後から操作されたものに対応する数字）が、グリルタイマのものであるか否かを報知する魚マーク４１を設けたので、点・消火ボタン１４及び点・消火ボタン３６を共に操作した場合において、ＬＥＤ４に表示されているのはグリル３のグリルタイマに対応した数字であるか、ガスコンロ１のコンロ消火時間に対応した数字であるかを使用者が容易に知る事ができ、使い勝手が良い。
【００６１】
つぎに、本発明の第１実施例（請求項１、３、４に対応）を、図２、図３、図４、図７、図１０、図１１に基づいて説明する。
図に示す様にガステーブルＣは、以下の点がガステーブルＡと異なる。
【００６２】
ガステーブルＣでは、点・消火ボタン１４、３６が両方操作された場合にＬＥＤ４に表示されるのは、先にゼロになる方のコンロタイマ又はグリルタイマに対応した数字である。又、ＬＥＤ４にグリル３のグリルタイマに対応する数字が表示されている場合に点灯する魚マーク４１（裏面のＬＥＤにより照明）が表示部４０に設けられている（図７の外観図、図１０及び図１１のフローチャート参照）。
尚、先にゼロになる方のタイマが終了した場合、作動しているタイマが残り一つの場合は他方のタイマの表示に自動的に切り替わり、作動しているタイマが残り二つの時は、つぎにゼロになる方のタイマ表示に自動的に切り替わる。
【００６３】
本実施例のガステーブルＣは、上記〔ア〕、〔ウ〕、〔オ〕に準じた利点以外に、以下の利点を有する。
〔カ〕点・消火ボタン１４及び点・消火ボタン３６を共に操作した場合にＬＥＤ４に表示されるのは、先にゼロになる方のコンロタイマ又はグリルタイマに対応した数字であるので、突然、バーナが燃焼停止するという状態が起こらず、使い勝手に優れる。
【００６４】
つぎに、本発明の第２実施例（請求項２、３、４に対応）を、図２、図３、図４、図７、図１２、図１３に基づいて説明する。
図に示す様にガステーブルＤは、以下の点がガステーブルＡと異なる。
【００６５】
ガステーブルＤでは、点・消火ボタン１４、３６が両方操作された場合、ＬＥＤ４には、コンロタイマ及びグリルタイマに対応した数字が交互に表示される構成である。又、ＬＥＤ４にグリル３のグリルタイマに対応する数字が表示されている間、点灯する魚マーク４１（裏面のＬＥＤにより照明）が表示部４０に設けられている（図７の外観図、図１２及び図１３のフローチャート参照）。
【００６６】
尚、グリルタイマに対応した数字が表示されている間、魚マーク４１を点灯する様にしたが、魚マーク４１を設ける事無く、グリルタイマに対応した数字、或いはコンロ消火時間に対応する数字の一方を点灯表示し、他方を点滅表示する様にしても良い。
【００６７】
本実施例のガステーブルＤは、上記〔ア〕、〔ウ〕、〔オ〕に準じた利点以外に、以下の利点を有する。
〔キ〕点・消火ボタン１４及び点・消火ボタン３６を共に操作した場合にＬＥＤ４に表示されるのは、コンロタイマ、グリルタイマに対応した数字が交互にＬＥＤ４に表示されるので、使用者はコンロ消火時間及びグリルタイマを確認する事ができ、使い勝手が良い。
【図面の簡単な説明】
【図１】参考例１に係るガステーブルの正面図である。
【図２】参考例１、２および本発明の第１、第２実施例に係るガステーブルの説明図である。
【図３】参考例１、２および本発明の第１、第２実施例に係るガステーブルの点・消火スイッチの説明図である。
【図４】参考例１、２および本発明の第１、第２実施例に係るガステーブルのブロック図である。
【図５】参考例１に係るガステーブルの作動（グリル側）を示すフローチャートである。
【図６】参考例１に係るガステーブルの作動（コンロ側）を示すフローチャートである。
【図７】参考例２および本発明の第１、第２実施例に係るガステーブルの正面図である。
【図８】参考例２に係るガステーブルの作動（グリル側）を示すフローチャートである。
【図９】参考例２に係るガステーブルの作動（コンロ側）を示すフローチャートである。
【図１０】本発明の第１実施例に係るガステーブルの作動（グリル側）を示すフローチャートである。
【図１１】本発明の第１実施例に係るガステーブルの作動（コンロ側）を示すフローチャートである。
【図１２】本発明の第２実施例に係るガステーブルの作動（グリル側）を示すフローチャートである。
【図１３】本発明の第２実施例に係るガステーブルの作動（コンロ側）を示すフローチャートである。
【符号の説明】
４  ＬＥＤ
６  制御ユニット（制御手段）
１１  Ｈバーナ（加熱手段）
４１  魚マーク（補助表示部）
８１、８２  タクトスイッチ（増減スイッチ）
３１、３２  グリルバーナ（加熱手段）
６１１、６１２  マイクロスイッチ（操作スイッチ）
Ａ、Ｂ、Ｃ、Ｄ  ガステーブル（調理装置）
ｎ  調理器
ｆ  魚（被調理物）
【図１】
0003568288.tif 000002
【図２】
0003568288.tif 000003
【図３】
0003568288.tif 000004
【図４】
0003568288.tif 000005
【図５】
0003568288.tif 000006
【図６】
0003568288.tif 000007
【図７】
0003568288.tif 000008
【図８】
0003568288.tif 000009
【図９】
0003568288.tif 000010
【図１０】
0003568288.tif 000011
【図１１】
0003568288.tif 000012
【図１２】
0003568288.tif 000013
【図１３】
0003568288.tif 000014